【手続補正書】
【提出日】平成20年9月3日(2008.9.3)
【手続補正１】
【補正対象書類名】明細書
【補正対象項目名】特許請求の範囲
【補正方法】変更
【補正の内容】
【特許請求の範囲】
【請求項１】
少なくとも３つのコーディングピン列（Ａ１、Ａ２、Ａ３）を有するセキュリティ可逆キーであって、コーディングピン列はキー（Ｓ）の平坦な側面上にも位置しており、タンブラピンの対のタンブラピン列を有する割当てられたシリンダ（Ｚ）を備え、これは所与のボアパターンのコーディングピン列の位置においてタンブラピンおよびカウンタピンを含み、
キーはコーディングピン列において阻止溝（ＢＮ）を有し、これはキーの先端からキー上のコーディングピン列の少なくとも第１のコーディング位置（Ｐ１）までキーの軸（ｘ）に平行に走っており、
阻止溝はコーディングされた阻止深さ（Ｂ１、Ｂ２、Ｂ３）を有しており、さらに
割当てられたシリンダにおいて、少なくとも最後部のコーディング位置（Ｐ１）において、阻止タンブラピン（ＢＺ）および延長された阻止カウンタピン（ＢＧ）を有する阻止溝（ＢＮ）に対応する１対の阻止タンブラピンが設けられ、
阻止タンブラピン（ＢＺ）および阻止カウンタピン（ＢＧ）の全長（ｌｂ）は阻止溝（ＢＮ）からシリンダハウジング（１０）までの距離（ｄｂ）とほぼ等しく、
このため、阻止溝が十分に深くない場合に阻止カウンタピン（ＢＧ）がシリンダハウジング（１０）上に当たり、これにより、深さが不十分である阻止溝を有するキーの完全な挿入が阻止タンブラピンの対によって阻止され、キーの第１のコーディング位置（Ｐ１）におけるキーの挿入の後に続く阻止カウンタピン（ＢＧ）とともに阻止タンブラピン（ＢＺ）もまた、シリンダの旋回のためにコーディングステップ（Ｃ１、Ｃ２、Ｃ３、Ｃ４）を有するコーディングタンブラピンとして利用されることを特徴とする、キー。
【請求項２】
少なくとも４列のコーディングピン（Ａ１−Ａ４）が設けられることを特徴とする、請求項１に記載のキー。
【請求項３】
少なくとも２つの異なるコーディング（Ｃｏｄ１、Ｃｏｄ２）が設けられることを特徴とする、請求項１に記載のキー。
【請求項４】
２つの異なるボアパターン（Ｒ、Ｌ）からのコーディング位置（Ｐｉ）が設けられることを特徴とする、請求項１に記載のキー。
【請求項５】
コーディングピン列（Ａ２）の最前部において少なくとも２つのコーディング位置（Ｐ１、Ｐ２）まで走る阻止溝と、最前部におけるこれらの少なくとも２つの位置のコーディングされたステップ深さを有する、これらのコーディング位置に対応する阻止タンブラピン（ＢＺ１、ＢＺ２）および阻止カウンタピン（ＢＧ１、ＢＧ２）とを特徴とする、請求項１に記載のキー。
【請求項６】
阻止溝は少なくとも２つの異なった形状をしたセクタ（ＢＮ１、ＢＮ２）を有することを特徴とする、請求項５に記載のキー。
【請求項７】
阻止溝は１つより多いコーディング位置にわたって延在し、阻止溝の深さ（ｔｂ）はあるコーディング場所（Ｐ１）から次のコーディング場所（Ｐ２）まで一定であるかまたは減少することを特徴とする、請求項１に記載のキー。
【請求項８】
阻止溝は１つより多いコーディング位置にわたって延在し、阻止溝の幅（ｂｂ）はあるコーディング場所（Ｐ１）から次のコーディング場所（Ｐ２）まで一定であるかまたは減少することを特徴とする、請求項１に記載のキー。
【請求項９】
１つより多いコーディングピン列のタンブラピン（Ａ１、Ａ２）においてそれぞれ、割当てられた対の阻止タンブラピンを備えた阻止溝が１つずつ設けられることを特徴とする、請求項１に記載のキー。
【請求項１０】
追加のセキュリティ要素として、上昇する制御面（ＫＦ）がキーの先端においてのみ位置しており、前記制御面（ＫＦ）は割当てられた制御ピン（ＫＳ）を脇へ押しやり、制御ピン（KS）が制御面（ＫＦ）を備えていないキーの挿入を防止することを特徴とする、請求項１に記載のキー。
【請求項１１】
制御ピン（KS）は平坦なピン（２３）として実現され、これは狭くコーディングフライス削りされた部分（Ｃｏｄ２）においてフランク制御をもさらに実行することを特徴とする、請求項１０に記載のキー。
【請求項１２】
コーディングピンの列（Ａ２）において、以下のセキュリティ要素、すなわち阻止コード（ＢＣ）、第２のコーディング（Ｃｏｄ２）、制御面（ＫＦ）および制御ピン（ＫＳ）による挿入防止システムならびに平坦なピン（２３）によるフランク制御、が位置付けられることを特徴とする、請求項１に記載のキー。
【請求項１３】
少なくとも３つのコーディングピン列（Ａ１、Ａ２、Ａ３）を有するセキュリティ可逆キーを有する施錠システムであって、コーディングピン列はキー（Ｓ）の平坦な側面上にも位置しており、タンブラピンの対のタンブラピン列を有する割当てられたシリンダ（Ｚ）を有し、これは所与のボアパターンのコーディングピン列の位置におけるタンブラピンおよびカウンタピンを含み、少なくとも２つの追加の安全要素を有し、
キー上の少なくとも２つの区域が規定され、第１の区域Ｇ１において、製造難度がより高い少なくとも２つの追加のセキュリティ要素が設けられ、第２の区域Ｇ２においてより単純な基本的なコーディング（Ｃｏｄ１）が設けられ、第１の区域Ｇ１により、キー上の独立したマーケット区域（Ｍ１、Ｍ２、…）への明確な区分けが規定され、追加のセキュリティ要素としての第１の区域Ｇ１は阻止コード（ＢＣ）を有し、キーはコーディングピン列において阻止溝（ＢＮ）を有し、これはキーの先端からキー上のコーディングピン列の少なくとも第１のコーディング位置（Ｐ１）までキーの軸（ｘ）に平行に走っており、阻止溝はコーディングされた阻止深さ（Ｂ１、Ｂ２、Ｂ３）を有し、さらに
割当てられたシリンダにおいて少なくとも最後部コーディング位置（Ｐ１）において、
阻止溝（ＢＮ）に対応する阻止タンブラピン（ＢＺ）および延長された阻止カウンタピン（ＢＧ）を有する１対の阻止タンブラピンが設けられ、阻止タンブラピン（ＢＺ）および阻止カウンタピン（ＢＧ）の全長（ｌｂ）は阻止溝（ＢＮ）からシリンダハウジング（１０）までの距離（ｄｂ）とほぼ等しく、
このため、阻止カウンタピン（ＢＧ）は阻止溝が十分に深くない場合にはシリンダハウジング（１０）上に当たり、このため、不十分な深さの阻止溝を有するキーの完全な挿入が阻止タンブラピンの対によって阻止され、キーの第１のコーディング位置（Ｐ１）におけるキーの挿入の後の阻止カウンタピン（ＢＧ）を伴う阻止タンブラピンＢＺはまた、シリンダの旋回のためにコーディングステップ（Ｃ１、Ｃ２、Ｃ３、Ｃ４）を有するコーディングタンブラピンとして利用されることを特徴とする、施錠システム。
【請求項１４】
第１の区域Ｇ１におけるセキュリティ要素として、第２のコーディング（Ｃｏｄ２）と、キーの先端において制御面（ＫＦ）およびシリンダにおける割当てられた制御ピン（ＫＳ）による挿入防止手段と、平坦なタンブラピン（２３）および阻止コード（ＢＣ）によるフランク制御とが設けられることを特徴とする、請求項１３に記載の施錠システム。
【請求項１５】
キーは異なるボアパターン（Ｒ、Ｌ）を有する区域を含むことを特徴とする、請求項１３に記載の施錠システム。
【請求項１６】
少なくとも３つのセキュリティ要素が第１の区域Ｇ１において設けられることを特徴とする、請求項１３に記載の施錠システム。
【請求項１７】
セキュリティ要素として、狭くフライス削りされた部分を有する第２のコーディング（Ｃｏｄ２）が設けられることを特徴とする、請求項１３に記載の施錠システム。
【請求項１８】
区域Ｇ１のすべてのセキュリティ要素は１つのコーディングピン列（Ａ２）においてつけられていることを特徴とする、請求項１３に記載の施錠システム。
【請求項１９】
請求項１３に従ったキー（Ｓ）上の少なくとも２つの区域（Ｇ１、Ｇ２）を有する施錠システムのセキュリティ可逆キーおよびシリンダの製造のための方法であって、
まず、キー上に第１の区域Ｇ１に阻止溝（ＢＮ）を有する阻止コードが製造され、または中央の製造場所（Ｈ１）において認可され、第２の区域Ｇ２のキーのコーディング（Ｃｏｄ１）およびシリンダへの対応するピンの装着は、現地の代行者によって地方の場所（Ｈ２）において後で行なうことを特徴とする、方法。
【請求項２０】
製造は少なくとも２つのステップにおいて異なる場所において行なわれ、まず、第一の区域Ｇ１の難度（ＨＳ）がより高い可変部分を中央の場所において製造し、その後、第二の区域Ｇ２の難度がより低い可変部分を第二の分散場所で製造することを特徴とする、請求項１９に記載の方法。
【請求項２１】
キーの製造は少なくとも３つのステップにおいて行なわれ、まず、難度が最も高い可変部分を有する第１の区域（Ｇ１）を中央において（Ｈ１）製造し、その上に、難度がより低い可変部分を有するさらなる区域（Ｇ１／Ｇ２）を地方で（Ｈ１／Ｈ２）製造し、最後に、第二の区域Ｇ２の難度が最も低いコーディングを、適用の場所（Ｈ２）において局所的に製造することを特徴とする、請求項１９に記載の方法。
【請求項２２】
第一の区域Ｇ１の製造はまた、分散して行なうことが可能であり、所望の動作のための製造プログラムおよび認可が中央の場所から制御されチェックされることを特徴とする、請求項１９に記載の方法。
【手続補正２】
【補正対象書類名】明細書
【補正対象項目名】００１１
【補正方法】変更
【補正の内容】
【００１１】
図１ｄは、いくつかの独立したマーケット区域Ｍｉ＝Ｍ１、Ｍ２などへの分割と、たとえば設備および物体などのための応用分野または独立したディストリビュータ区域などに対応する、キー上のマーケット区域の部分ＭＭｉへの各マーケット区域のさらなる可能な再分とを示す。マーケット区域Ｍｉは区域Ｇ１により規定される。区域の部分ＭＭｉは区域Ｇ１の部分によって規定してもよく、または区域Ｇ２の部分によって規定してもよく、または区域Ｇ１および区域Ｇ２の部分を等しく包含していてもよい。
【手続補正３】
【補正対象書類名】明細書
【補正対象項目名】００３１
【補正方法】変更
【補正の内容】
【００３１】
図１８は、階層概略図におけるセキュリティ可逆キーを有するこの発明に従った施錠システムの組織を示す。システム所有者ＳＳ（たとえば製造会社）は最高の階層レベルを表わし、これはキー上のマーケット区域Ｍｉ＝Ｍ１、Ｍ２などを規定し、かつ認可し、マーケット区域はたとえば国または一般的なディストリビュータに対応させてもよい。マーケット区域において、さらなる区域の部分ＭＭｉがキー上に規定されると共に分離され、たとえばこの区域内の異なるディストリビュータまたは設備に対応させてもよい。さらなるレベルＭＭｉ．ｉはたとえば個々の物体を規定していてもよい。これは区域Ｇ１および区域Ｇ２のコーディングによって規定される。